(57)【特許請求の範囲】
【請求項１】
外部からの画像処理に関する設定変更指示を許可しない第１撮影モードと、外部からの画像処理に関する設定変更指示を許可する第２撮影モードとを有し、選択した撮影モードに応じた撮影制御を行うとともに、多重露光を行う多重撮影モードを設定した場合には多重撮影制御を行う制御手段と、
前記制御手段が前記第１撮影モードを選択している場合、前記制御手段が前記多重撮影モードを設定することを禁止する禁止手段とを備えることを特徴とする電子カメラ。
【請求項２】
外部からの画像処理に関する設定変更指示を許可しない第１撮影モードと、外部からの画像処理に関する設定変更指示を許可する第２撮影モードとを有し、選択した撮影モードに応じた撮影制御を行うとともに、多重露光を行う多重撮影モードを設定した場合には多重撮影制御を行う制御手段と、
前記制御手段が前記多重撮影モードを設定している場合、前記制御手段が前記第１撮影モードを選択することを禁止する禁止手段とを備えることを特徴とする電子カメラ。
【請求項３】
外部からの画像処理に関する設定変更指示を許可しない第１撮影モードと、外部からの画像処理に関する設定変更指示を許可する第２撮影モードとを有し、選択した撮影モードに応じた撮影制御を行うとともに、多重露光を行う多重撮影モードを設定した場合には多重撮影制御を行う制御手段と、
前記制御手段が前記多重撮影モードを設定している状態で前記第１の撮影モードおよび前記第２の撮影モード間の選択変更を行う場合、当該選択変更とともに前記多重撮影モードを解除するように前記制御手段へ指示する指示手段とを備えることを特徴とする電子カメラ。
【請求項４】
請求項３に記載の電子カメラにおいて、
前記制御手段は、前記多重露光を行った撮影画像に対する画像処理および前記画像処理された撮影画像の保存後に前記多重撮影モードを解除することを特徴とする電子カメラ。
【発明の詳細な説明】
【技術分野】
【０００１】
本発明は、電子カメラに関する。
【背景技術】
【０００２】
多重露光撮影が可能な電子カメラが知られている（たとえば特許文献１参照）。特許文献１の電子カメラでは、多重撮影モードに設定された場合に、画像処理に関する設定変更が禁止される。
【０００３】
【特許文献１】特開２００２−２１８３１３号公報
【発明の開示】
【発明が解決しようとする課題】
【０００４】
従来技術のカメラでは、画像処理に関する設定変更を許可する撮影モードと画像処理に関する設定変更を許可しない撮影モードとを有する場合、多重撮影モードの設定時に画像処理に関する設定変更をどうするかが不明で使いにくい。
【課題を解決するための手段】
【０００５】
（１）本発明による電子カメラは、外部からの画像処理に関する設定変更指示を許可しない第１撮影モードと、外部からの画像処理に関する設定変更指示を許可する第２撮影モードとを有し、選択した撮影モードに応じた撮影制御を行うとともに、多重露光を行う多重撮影モードを設定した場合には多重撮影制御を行う制御手段と、制御手段が第１撮影モードを選択している場合、制御手段が多重撮影モードを設定することを禁止する禁止手段とを備えることを特徴とする。
（２）本発明による電子カメラは、外部からの画像処理に関する設定変更指示を許可しない第１撮影モードと、外部からの画像処理に関する設定変更指示を許可する第２撮影モードとを有し、選択した撮影モードに応じた撮影制御を行うとともに、多重露光を行う多重撮影モードを設定した場合には多重撮影制御を行う制御手段と、制御手段が多重撮影モードを設定している場合、制御手段が第１撮影モードを選択することを禁止する禁止手段とを備えることを特徴とする。
（３）本発明による電子カメラは、外部からの画像処理に関する設定変更指示を許可しない第１撮影モードと、外部からの画像処理に関する設定変更指示を許可する第２撮影モードとを有し、選択した撮影モードに応じた撮影制御を行うとともに、多重露光を行う多重撮影モードを設定した場合には多重撮影制御を行う制御手段と、制御手段が多重撮影モードを設定している状態で第１の撮影モードおよび第２の撮影モード間の選択変更を行う場合、当該選択変更とともに多重撮影モードを解除するように制御手段へ指示する指示手段とを備えることを特徴とする。
（４）請求項３に記載の電子カメラにおいて、制御手段は、多重露光を行った撮影画像に対する画像処理および画像処理された撮影画像の保存後に多重撮影モードを解除することもできる。
【発明の効果】
【０００６】
本発明によれば、画像処理に関する設定変更を許可しない撮影モード、画像処理に関する設定変更を許可する撮影モード、および多重撮影モードを備える電子カメラが使いやすくなる。
【発明を実施するための最良の形態】
【０００７】
以下、図面を参照して本発明を実施するための最良の形態について説明する。図１は、本発明の一実施の形態による電子カメラの構成を説明するブロック図である。図１において、演算回路１０１はマイクロコンピュータなどによって構成される。演算回路１０１は、後述する各ブロックから出力される信号を入力して所定の演算を行い、演算結果に基づいて各ブロックへ制御信号を出力する。
【０００８】
撮像素子１２１は、ＣＣＤイメージセンサなどによって構成される。撮像素子１２１は、撮影レンズＬを通過した被写体光による像を撮像し、撮像信号をＡ／Ｄ変換回路１２２へ出力する。本実施形態では、撮像素子１２１の撮像感度（露光感度）をＩＳＯ１００相当にセットする。撮像感度とは、撮像素子１２１に蓄積される電荷の検出感度、もしくは不図示の増幅回路の増幅利得を変化させる被制御量のことをいい、相当するＩＳＯ感度値で表される。
【０００９】
Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定の動作タイミングで駆動制御される。
【００１０】
撮像信号処理回路を構成するＡＳＩＣ１２３は、演算回路１０１からの指示に応じてディジタル変換後の画像信号に所定の信号処理を行う。処理内容は、カラー画像データの色温度を適切にするホワイトバランス（ＷＢ）調整などの画像処理、画像処理後の画像データを所定の形式で圧縮する圧縮処理、圧縮処理後のデータを伸長する伸長処理などである。バッファメモリ１２５は、ＡＳＩＣ１２３による信号処理中、あるいは信号処理前後の画像データを一時的に格納する。記録媒体１２６は、着脱可能なフラッシュメモリなどによって構成される。記録媒体１２６は、バッファメモリ１２５に格納されている画像データを記録する。
【００１１】
測光装置１０２は、撮影レンズＬを透過した光量を検出し、光量検出信号を演算回路１０１へ出力する。光量検出信号は被写界の明るさを示す。表示装置１０３は、演算回路１０１からの指示に応じて設定撮影モード、シャッタ速度、絞り値、多重設定マーク、多重コマ数Ｎなどを示す表示を行う。
【００１２】
撮影モード設定装置１０４は、不図示の撮影モードダイヤルの回転位置を検出し、検出位置に応じた撮影モードを示す信号を演算回路１０１へ出力する。撮影モードは、少なくとも「自動（オート）モード」と「Ａモード」とを有する。「自動モード」は、電子カメラが露出に関する設定、およびディジタル画像処理に関する設定を自動的に行う撮影モードである。「Ａモード」は、設定されている絞り値を用いて電子カメラが露出に関する設定を自動的に行う撮影モード（絞り値優先自動露出モード）である。
【００１３】
シャッタ制御回路１０５は、シャッタ１０６の不図示の先幕および後幕の保持および解除をそれぞれ制御する。絞り位置検出装置１０７は、後述するシーケンス装置によって絞り込み駆動されている絞りの位置を検出し、絞り位置検出信号を演算回路１０１へ出力する。絞り係止装置１０８は駆動中の絞りを係止し、所定の絞り値で絞りを停止させる。
【００１４】
モータ制御回路１０９は、演算回路１０１の指示によってシーケンスモータ１１０を駆動制御する。シーケンスモータ１１０は不図示のシーケンス駆動装置を構成し、不図示のミラーのアップ／ダウン、不図示の絞りの駆動、およびシャッタ１０６のチャージなどを行う。シーケンススイッチＳＷ５は不図示のシーケンス駆動装置に組み込まれ、シーケンスモータ１１０のブレーキ制御タイミングなどを発生する。
【００１５】
多重撮影設定スイッチＳＷ１は、多重撮影設定ボタン（不図示）の押し下げ操作に連動してオンし、押し下げ操作の解除に連動してオフする。多重撮影設定スイッチＳＷ１からの操作信号は演算回路１０１へ入力され、演算回路１０１は、当該操作信号が入力されている場合にコマンドダイヤル（不図示）からの操作信号を「多重撮影モード」に関する操作信号として扱う。「多重撮影モード」は、多重露光による撮影制御を行うモードである。
【００１６】
コマンドダイヤルスイッチＳＷ２およびＳＷ３は、コマンドダイヤル（不図示）の回転操作に連動してオン／オフする。演算回路１０１は、両スイッチＳＷ２、ＳＷ３による信号のオン／オフ回数に基づいて回転操作量を検出し、両スイッチＳＷ２、ＳＷ３による信号の位相関係に基づいて回転方向を検出する。
【００１７】
レリーズスイッチＳＷ４は、レリーズボタン（不図示）の押し下げ操作に連動してオンし、押し下げ操作の解除に連動してオフする。レリーズスイッチＳＷ４からのオン信号は演算回路１０１へ入力され、撮影開始の指示として扱われる。
【００１８】
画像パラメータ設定装置１１１は、不図示の操作部材からの操作信号に応じてディジタル画像処理に関する設定（たとえば、ホワイトバランス、コントラスト、シャープネス、彩度、色合い調整など）のパラメータを変更し、変更パラメータを示す信号を演算回路１０１へ出力する。
【００１９】
演算回路１０１は、コマンドダイヤルスイッチＳＷ２およびＳＷ３から単独で操作信号が入力されると、当該操作信号を絞り値変更指示として扱う。電子カメラは、絞り値変更指示に応じて、Ｆ２．８〜Ｆ２２の範囲で所定ステップで絞りの設定内容を変更する。
【００２０】
本実施形態の電子カメラは、「多重撮影モード」の設定は撮影モードが「Ａモード」時のみ許可され、撮影モードが「自動モード」時には「多重撮影モード」による制御を禁止するように構成されている。
【００２１】
＜メイン処理＞
電子カメラの演算回路１０１で行われるカメラ動作の処理について、図２に示すフローチャートを参照して説明する。図２のフローチャートによるプログラムは、電子カメラに不図示の電池が装填されると起動する。
【００２２】
図２のステップＳ１において、演算回路１０１は以下の初期設定を行う。すなわち、多重コマ数Ｎを１に、多重撮影フラグＭＥを０に、撮影モードフラグＭを０に、設定絞り値ＡＶｓを５（Ｆ５．６）に、それぞれセットしてステップＳ２へ進む。なお、ＡＶｓはアペックス値が用いられる。
【００２３】
多重コマ数Ｎは、「多重撮影モード」において多重露光するコマ数を示し、１〜９の範囲で設定可能にされる。なお、「多重撮影モード」が解除される場合はＮ＝１とされる。多重撮影フラグＭＥは、「多重撮影モード」を設定後に多重撮影が開始されると１に、多重撮影が終了または中止されると０にセットされる。電子カメラは、多重撮影中にＮ＝１になると画像の記録を行うように構成される。
【００２４】
撮影モードフラグＭは、撮影モードが「自動モード」に設定されると０に、「Ａモード」に設定されると１にセットされる。ＡＶｓは、アペックス値で３〜９（Ｆ２．８〜Ｆ２２）の範囲で設定可能にされている。
【００２５】
ステップＳ２において、演算回路１０１は設定処理を行ってステップＳ３へ進む。設定処理の詳細については後述する。ステップＳ３において、演算回路１０１は、測光装置１０２から入力される検出信号によってレンズ透過光量（ＢＶ−ＡＶ０）を演算し、この演算値を用いて被写体輝度ＢＶを演算する測光を行い、ステップＳ４へ進む。被写体輝度ＢＶは、レンズ透過光量（ＢＶ−ＡＶ０）に開放絞り値ＡＶ０を加算することにより求めることができる。なお、本実施の形態ではＡＶ０＝３、すなわちＦ２．８とする。なお、ＢＶ、ＡＶ０（上記例では３）はそれぞれアペックス値が用いられる。
【００２６】
ステップＳ４において、演算回路１０１は露出演算処理を行ってステップＳ５へ進む。露出演算処理の詳細については後述する。ステップＳ５において、演算回路１０１は表示装置１０３に対する表示処理を行ってステップＳ６へ進む。表示処理の詳細については後述する。
【００２７】
ステップＳ６において、演算回路１０１はレリーズ操作されたか否かを判定する。演算回路１０１は、レリーズスイッチＳＷ４からオン信号が入力された場合にステップＳ６を肯定判定してステップＳ７へ進み、レリーズスイッチＳＷ４からオン信号が入力されない場合にはステップＳ６を否定判定してステップＳ２へ戻る。ステップＳ７において、演算回路１０１は撮像処理を行ってステップＳ２へ戻る。撮像処理の詳細については後述する。これにより、一連の撮影処理が終了する。
【００２８】
＜設定処理＞
設定処理の詳細について、図３〜図５のフローチャートを参照して説明する。図３のステップＳ１１において、演算回路１０１は、撮影モードが「自動（オート）モード」か否かを判定する。演算回路１０１は、撮影モード設定装置１０４からの入力信号が「自動モード」を示す場合にステップＳ１１を肯定判定してステップＳ１２へ進み、「自動モード」を示さない（本実施形態では「Ａモード」）場合にはステップＳ１１を否定判定し、図４のステップＳ３１へ進む。
【００２９】
ステップＳ１２において、演算回路１０１は撮影モードフラグＭ＝１か否かを判定する。演算回路１０１は、Ｍ＝１（Ａモード）の場合にステップＳ１２を肯定判定してステップＳ１３へ進み、Ｍ≠１（本例では自動モード）の場合にステップＳ１２を否定判定し、図３による設定処理を終了して図２のステップＳ３へ進む。
【００３０】
ステップＳ１３以降の処理は、「Ａモード」が選択されていた状態で「自動モード」に切替え操作された場合に行う処理である。ステップＳ１３において、演算回路１０１は多重撮影フラグＭＥ＝１か否かを判定する。演算回路１０１は、ＭＥ＝１（多重撮影開始後）の場合にステップＳ１３を肯定判定してステップＳ１４へ進み、ＭＥ≠１（多重撮影を開始していない）の場合にはステップＳ１３を否定判定し、ステップＳ１９へ進む。ステップＳ１９へ進む場合は、「自動モード」選択の際に「多重撮影モード」が設定されていない場合、または「多重撮影モード」であっても多重撮影が開始されていない場合である。
【００３１】
ステップＳ１４において、演算回路１０１は、バッファメモリ１２５内に格納されている多重撮影（多重露光）による画像データを合成し、合成後の画像を再度バッファメモリ１２５に格納してステップＳ１５へ進む。
【００３２】
ステップＳ１５において、演算回路１０１はＡＳＩＣ１２３に指示を送り、バッファメモリ１２５内の合成画像データにホワイトバランス、コントラスト、シャープネス、彩度および色合い調整などのディジタル画像処理を行わせ、ステップＳ１６へ進む。ステップＳ１６において、演算回路１０１はＡＳＩＣ１２３に画像圧縮処理を行わせ、ステップＳ１７へ進む。ステップＳ１７において、演算回路１０１は、画像圧縮後にバッファメモリ１２５に格納されている画像データを記録媒体１２６に記録してステップＳ１８へ進む。
【００３３】
ステップＳ１８において、演算回路１０１は多重撮影フラグＭＥを０にセットしてステップＳ１９へ進む。ステップＳ１９において、演算回路１０１は多重コマ数Ｎ＝１か否かを判定する。演算回路１０１は、Ｎ＝１の場合にステップＳ１９を肯定判定してステップＳ２１へ進み、Ｎ≠１の場合にはステップＳ１９を否定判定してステップＳ２０へ進む。ステップＳ２０において、演算回路１０１は、多重コマ数Ｎを１にセットしてステップＳ２１へ進む。ステップＳ２１において、演算回路１０１は、撮影モードフラグＭを０にセットして図３による設定処理を終了し、図２のステップＳ３へ進む。撮影モードフラグＭを０にセットすることによって「自動モード」が選択される。
【００３４】
ステップＳ１１を否定判定して進む図４のステップＳ３１において、演算回路１０１は撮影モードフラグＭ＝０か否かを判定する。演算回路１０１は、Ｍ＝０（自動モード）の場合にステップＳ３１を肯定判定してステップＳ３２へ進み、Ｍ≠０（本例ではＡモード）の場合にステップＳ３１を否定判定してステップＳ３３へ進む。
【００３５】
ステップＳ３２において、演算回路１０１は、撮影モードフラグＭを１にセットしてステップＳ３３へ進む。撮影モードフラグＭを１にセットすることによって「Ａモード」が選択される。ステップＳ３３において、演算回路１０１は多重撮影設定ボタンが押下されているか否かを判定する。演算回路１０１は、多重撮影設定スイッチＳＷ１からオン信号が入力されている場合にステップＳ３３を肯定判定してステップＳ３４へ進み、多重撮影設定スイッチＳＷ１からオン信号が入力されていない場合にはステップＳ３３を否定判定し、図５のステップＳ６１へ進む。
【００３６】
ステップＳ３４において、演算回路１０１は表示装置１０３へ指示を送り、多重コマ数Ｎを示す表示を行わせてステップＳ３５へ進む。ステップＳ３５において、演算回路１０１は多重撮影フラグＭＥ＝０か否かを判定する。演算回路１０１は、ＭＥ＝０（多重撮影を開始していない）の場合にステップＳ３５を肯定判定してステップＳ３６へ進み、ＭＥ≠０（多重撮影を開始後）の場合にはステップＳ３５を否定判定し、ステップＳ４３へ進む。
【００３７】
ステップＳ３６において、演算回路１０１は表示装置１０３へ指示を送り、多重マークを点灯表示させてステップＳ３７へ進む。ステップＳ３７において、演算回路１０１はアップ回転か否かを判定する。演算回路１０１は、コマンドダイヤルスイッチＳＷ２およびＳＷ３から反時計回転を示す操作信号が入力された場合にステップＳ３７を肯定判定してステップＳ３８へ進み、反時計回転を示す操作信号が入力されない場合にはステップＳ３７を否定判定し、ステップＳ４０へ進む。
【００３８】
ステップＳ３８において、演算回路１０１は、多重コマ数Ｎが９か否かを判定する。演算回路１０１は、Ｎ＝９の場合にステップＳ３８を肯定判定してステップＳ４９へ進み、Ｎ≠９の場合にはステップＳ３８を否定判定してステップＳ３９へ進む。ステップＳ３９において、演算回路１０１は、多重コマ数Ｎに１を加算してステップＳ４９へ進む。
【００３９】
ステップＳ４０において、演算回路１０１はダウン回転か否かを判定する。演算回路１０１は、コマンドダイヤルスイッチＳＷ２およびＳＷ３から時計回転を示す操作信号が入力された場合にステップＳ４０を肯定判定してステップＳ４１へ進み、時計回転を示す操作信号が入力されない場合にはステップＳ４０を否定判定し、ステップＳ４９へ進む。
【００４０】
ステップＳ４１において、演算回路１０１は、多重コマ数Ｎが１か否かを判定する。演算回路１０１は、Ｎ＝１の場合にステップＳ４１を肯定判定してステップＳ４９へ進み、Ｎ≠１の場合にはステップＳ４１を否定判定してステップＳ４２へ進む。ステップＳ４２において、演算回路１０１は、多重コマ数Ｎから１を減算してステップＳ４９へ進む。
【００４１】
ステップＳ３５を否定判定して進むステップＳ４３において、演算回路１０１は表示装置１０３へ指示を送り、多重マークを点滅表示させてステップＳ４４へ進む。ステップＳ４４において、演算回路１０１はコマンドダイヤルが回転操作されたか否かを判定する。演算回路１０１は、コマンドダイヤルスイッチＳＷ２およびＳＷ３から操作信号が入力された場合にステップＳ４４を肯定判定してステップＳ４５へ進み、操作信号が入力されない場合にはステップＳ４４を否定判定し、ステップＳ４９へ進む。
【００４２】
ステップＳ４５において、演算回路１０１は多重コマ数Ｎが０か否かを判定する。演算回路１０１は、Ｎ＝０の場合にステップＳ４５を肯定判定してステップＳ４８へ進み、Ｎ≠０の場合にはステップＳ４５を否定判定してステップＳ４６へ進む。ステップＳ４６へ進む場合は、撮影開始後に「多重撮影モード」が解除されたと判断し、ステップＳ４８へ進む場合は、撮影開始後に「多重撮影モード」が解除された状態でコマンドダイヤルが回転操作されたと判断する。
【００４３】
ステップＳ４６において、演算回路１０１は、メモリＸに多重コマ数Ｎの値を格納してステップＳ４７へ進む。ステップＳ４７において、演算回路１０１は、多重コマ数Ｎの値を０にセットしてステップＳ４９へ進む。ステップＳ４８において、演算回路１０１は、メモリＸに格納されている値を多重コマ数ＮへセットしてステップＳ４９へ進む。
【００４４】
ステップＳ４９において、演算回路１０１は多重撮影設定ボタンが押下されているか否かを判定する。演算回路１０１は、多重撮影設定スイッチＳＷ１からオン信号が継続して入力されている場合にステップＳ４９を肯定判定してステップＳ３４へ戻り、多重撮影設定スイッチＳＷ１からオン信号が入力されていない場合にはステップＳ４９を否定判定し、ステップＳ５０へ進む。
【００４５】
ステップＳ５０において、演算回路１０１は多重撮影フラグＭＥ＝１か否かを判定する。演算回路１０１は、ＭＥ＝１（多重撮影開始後）の場合にステップＳ５０を肯定判定してステップＳ５１へ進み、ＭＥ≠１（多重撮影を開始していない）の場合にはステップＳ５０を否定判定し、図４の設定処理を終了して図２のステップＳ３へ進む。
【００４６】
ステップＳ５１において、演算回路１０１は多重コマ数Ｎが０か否かを判定する。演算回路１０１は、Ｎ＝０の場合にステップＳ５１を肯定判定してステップＳ５２へ進み、Ｎ≠０の場合にはステップＳ５１を否定判定し、図４の設定処理を終了して図２のステップＳ３へ進む。ステップＳ５２へ進む場合は撮影開始後に「多重撮影モード」が解除されたと判断し、設定処理を終了する場合は撮影開始後に「多重撮影モード」が解除されていないと判断する。
【００４７】
ステップＳ５２において、演算回路１０１は、バッファメモリ１２５内に格納されている多重撮影（多重露光）による画像データを合成し、合成後の画像を再度バッファメモリ１２５に格納してステップＳ５３へ進む。
【００４８】
ステップＳ５３において、演算回路１０１はＡＳＩＣ１２３に指示を送り、バッファメモリ１２５内の合成画像データにホワイトバランス、コントラスト、シャープネス、彩度および色合い調整などのディジタル画像処理を行わせ、ステップＳ５４へ進む。ステップＳ５４において、演算回路１０１はＡＳＩＣ１２３に画像圧縮処理を行わせ、ステップＳ５５へ進む。ステップＳ５５において、演算回路１０１は、画像圧縮後にバッファメモリ１２５に格納されている画像データを記録媒体１２６に記録してステップＳ５６へ進む。
【００４９】
ステップＳ５６において、演算回路１０１は多重撮影フラグＭＥを０にセットしてステップＳ５７へ進む。ステップＳ５７において、演算回路１０１は多重コマ数Ｎを１にセットして図４による設定処理を終了し、図２のステップＳ３へ進む。
【００５０】
ステップＳ３３を否定判定して進む図５のステップＳ６１において、演算回路１０１は多重撮影フラグＭＥ＝１か否かを判定する。演算回路１０１は、ＭＥ＝１（多重撮影開始後）の場合にステップＳ６１を肯定判定してステップＳ６４へ進み、ＭＥ≠１（多重撮影を開始していない）の場合にはステップＳ６１を否定判定し、ステップＳ６２へ進む。
【００５１】
ステップＳ６２へ進む場合は、「Ａモード」を選択、かつ多重撮影が開始されていないので、画像パラメータの変更操作が許容される。ステップＳ６２において、演算回路１０１は、画像パラメータの変更操作が行われたか否かを判定する。演算回路１０１は、画像パラメータ設定装置１１１から信号が入力されるとステップＳ６２を肯定判定してステップＳ６３へ進み、画像パラメータ設定装置１１１から信号が入力されない場合にはステップＳ６２を否定判定し、ステップＳ６４へ進む。
【００５２】
ステップＳ６３において、演算回路１０１は、画像パラメータ設定装置１１１からの信号に応じてディジタル画像処理に関する設定（たとえば、ホワイトバランス、コントラスト、シャープネス、彩度、色合い調整など）のパラメータ変更処理を行って図５による設定処理を終了し、図２のステップＳ３へ進む。
【００５３】
ステップＳ６４において、演算回路１０１は、コマンドダイヤルがアップ回転されたか否かを判定する。演算回路１０１は、コマンドダイヤルスイッチＳＷ２およびＳＷ３から反時計回転を示す操作信号が入力された場合にステップＳ６４を肯定判定してステップＳ６５へ進み、反時計回転を示す操作信号が入力されない場合にはステップＳ６４を否定判定し、ステップＳ６７へ進む。
【００５４】
ステップＳ６５において、演算回路１０１は設定絞り値ＡＶｓ＝９（Ｆ２２）か否かを判定する。演算回路１０１は、ＡＶｓ＝９の場合にステップＳ６５を肯定判定して図５による設定処理を終了し、図２のステップＳ３へ進む。一方、ＡＶｓ≠９の場合にはステップＳ６５を否定判定してステップＳ６６へ進む。ステップＳ６６において、演算回路１０１は設定絞り値ＡＶｓの値に１を加算して図５による設定処理を終了し、図２のステップＳ３へ進む。これにより、設定絞り値が１段階高く変更される。
【００５５】
ステップＳ６４を否定判定して進むステップＳ６７において、演算回路１０１はコマンドダイヤルがダウン回転されたか否かを判定する。演算回路１０１は、コマンドダイヤルスイッチＳＷ２およびＳＷ３から時計回転を示す操作信号が入力された場合にステップＳ６７を肯定判定してステップＳ６８へ進み、時計回転を示す操作信号が入力されない場合にはステップＳ６７を否定判定し、図５による設定処理を終了して図２のステップＳ３へ進む。
【００５６】
ステップＳ６８において、演算回路１０１は設定絞り値ＡＶｓ＝３（Ｆ２．８）か否かを判定する。演算回路１０１は、ＡＶｓ＝３の場合にステップＳ６８を肯定判定して図５による設定処理を終了し、図２のステップＳ３へ進む。一方、ＡＶｓ≠３の場合にはステップＳ６８を否定判定し、ステップＳ６９へ進む。ステップＳ６９において、演算回路１０１は設定絞り値ＡＶｓの値から１を減算して図５による設定処理を終了し、図２のステップＳ３へ進む。これにより、設定絞り値が１段階低く変更される。
【００５７】
＜露出演算処理＞
露出演算処理の詳細について、図６のフローチャートを参照して説明する。図６のステップＳ８１において、演算回路１０１はステップＳ３にて算出した被写体輝度ＢＶを用いて、ＥＶ＝ＢＶ＋ＳＶを演算してステップＳ８２へ進む。ここで、ＥＶは露出値である。ＳＶは撮像感度であり、上述したＩＳＯ１００に対応してＳＶ＝５とされる。なお、ＥＶ、ＢＶ、ＳＶはそれぞれアペックス値を用いる。
【００５８】
ステップＳ８２において、演算回路１０１は撮影モードフラグＭ＝０か否かを判定する。演算回路１０１は、Ｍ＝０（自動モード）の場合にステップＳ８２を肯定判定してステップＳ８３へ進み、Ｍ≠０（本例ではＡモード）の場合にステップＳ８２を否定判定してステップＳ８８へ進む。
【００５９】
ステップＳ８８において、演算回路１０１は、制御絞り値ＡＶに設定絞り値ＡＶｓをセットしてステップＳ８９へ進む。ＡＶ、ＡＶｓはそれぞれアペックス値を用いる。
【００６０】
ステップＳ８３において、演算回路１０１は、ＡＶ＝ＥＶ／２−１を演算してステップＳ８４へ進む。ＡＶは制御絞り値である。
【００６１】
ステップＳ８４において、演算回路１０１は制御絞り値ＡＶがＦ２．８より小か否かを判定する。演算回路１０１は、ＡＶ＜３が成立する場合にステップＳ８４を肯定判定してステップＳ８５へ進み、ＡＶ＜３が成立しない場合にはステップＳ８４を否定判定し、ステップＳ８６へ進む。ステップＳ８５において、演算回路１０１は、制御絞り値ＡＶを３（Ｆ２．８（開放絞り））にセットしてステップＳ８９へ進む。
【００６２】
ステップＳ８６において、演算回路１０１は、制御絞り値ＡＶがＦ２２より大か否かを判定する。演算回路１０１は、ＡＶ＞９が成立する場合にステップＳ８６を肯定判定してステップＳ８７へ進み、ＡＶ＞９が成立しない場合にはステップＳ８６を否定判定し、ステップＳ８９へ進む。ステップＳ８７において、演算回路１０１は、制御絞り値ＡＶを９（Ｆ２２（最小口径絞り））にセットしてステップＳ８９へ進む。
【００６３】
ステップＳ８９において、演算回路１０１は、制御絞りパルス数Ｐｃを絞り込み段数（ＡＶ−３）の関数ｆとして算出し、ステップＳ９０へ進む。ステップＳ９０において、演算回路１０１は露出値ＥＶから制御絞り値ＡＶを減算した値を制御シャッタ速度ＴＶにセットしてステップＳ９１へ進む。ＴＶはアペックス値を用いる。
【００６４】
ステップＳ９１において、演算回路１０１はＴＶ＜０が成立するか否かを判定する。演算回路１０１は、ＴＶ＜０が成立する（制御シャッタ速度が１秒より低速）場合にステップＳ９１を肯定判定してステップ９２へ進み、ＴＶ＜０が成立しない場合にはステップＳ９１を否定判定してステップＳ９３へ進む。ステップＳ９２において、演算回路１０１は、制御シャッタ速度ＴＶを０にセットして図６による露出演算処理を終了し、図２のステップＳ５へ進む。これにより、制御シャッタ速度が制御範囲の下限である１秒にセットされる。
【００６５】
ステップＳ９３において、演算回路１０１は、ＴＶ＞１０が成立するか否かを判定する。演算回路１０１は、ＴＶ＞１０が成立する（制御シャッタ速度が１／１０００秒より高速）場合にステップＳ９３を肯定判定してステップＳ９４へ進み、ＴＶ＞１０が成立しない場合にはステップＳ９３を否定判定して図６による露出演算処理を終了し、図２のステップＳ５へ進む。
【００６６】
ステップＳ９４において、演算回路１０１は、制御シャッタ速度ＴＶを１０にセットして図６による露出演算処理を終了し、図２のステップＳ５へ進む。これにより、制御シャッタ速度が制御範囲の上限である１／１０００秒にセットされる。
【００６７】
＜表示処理＞
表示処理の詳細について、図７のフローチャートを参照して説明する。図７のステップＳ１０１において、演算回路１０１は多重撮影フラグＭＥ＝１か否かを判定する。演算回路１０１は、ＭＥ＝１（多重撮影開始後）の場合にステップＳ１０１を肯定判定してステップＳ１０２へ進み、ＭＥ≠１（多重撮影を開始していない）の場合にはステップＳ１０１を否定判定し、ステップＳ１０３へ進む。
【００６８】
ステップＳ１０２において、演算回路１０１は表示装置１０３へ指示を送り、多重マークを点滅表示させてステップＳ１０５へ進む。ステップＳ１０５において、演算回路１０１は表示装置１０３へ指示を送り、多重コマ数Ｎを示す表示を行わせてステップＳ１０６へ進む。ステップＳ１０６において、演算回路１０１は表示装置１０３へ指示を送り、撮影モード、シャッタ速度、絞り値を示す表示をそれぞれ行わせて図７による表示処理を終了し、図２のステップＳ６へ進む。
【００６９】
ステップＳ１０１を否定判定して進むステップＳ１０３において、演算回路１０１は多重コマ数Ｎが１より大か否かを判定する。演算回路１０１は、Ｎ＞１が成立する場合にステップＳ１０３を肯定判定してステップＳ１０４へ進み、Ｎ＞１が成立しない場合にはステップＳ１０３を否定判定し、ステップＳ１０６へ進む。演算回路１０１は、ステップＳ１０４へ進む場合に「多重撮影モード」が設定されていると判断し、ステップＳ１０６へ進む場合に「多重撮影モード」が解除されていると判断する。ステップＳ１０４において、演算回路１０１は表示装置１０３へ指示を送り、多重マークを点灯表示させてステップＳ１０５へ進む。
【００７０】
＜撮像処理＞
撮像処理の詳細について、図８および図９のフローチャートを参照して説明する。図８のステップＳ１１１において、演算回路１０１はシャッタ制御回路１０５へ指示を出力し、シャッタ１０６の不図示のマグネットに通電して先幕および後幕を保持させる。ステップＳ１１２において、演算回路１０１はモータ制御回路１０９へ指示を出力し、シーケンスモータ１１０に正転を開始させてステップＳ１１３へ進む。これにより、不図示のミラーのミラーアップおよび絞りの絞り込みが開始される。
【００７１】
ステップＳ１１３において、演算回路１０１は、絞り位置検出装置１０７から入力される信号から絞りパルス数Ｐｋを検出してステップＳ１１４へ進む。ステップＳ１１４において、演算回路１０１は、検出絞りパルス数Ｐｋおよび制御絞りパルス数Ｐｃとの間にＰｋ≧Ｐｃが成立するか否かを判定する。演算回路１０１は、Ｐｋ≧Ｐｃが成立する場合にステップＳ１１４を肯定判定してステップＳ１１５へ進み、Ｐｋ≧Ｐｃが成立しない場合にはステップＳ１１４を否定判定する。否定判定する場合には、絞り込みを継続するようにステップＳ１１３へ戻る。
【００７２】
ステップＳ１１５において、演算回路１０１は絞り係止装置１０８へ指示を出力し、絞りを係止させてステップＳ１１６へ進む。ステップＳ１１６において、演算回路１０１は、ミラーアップが完了したか否かを判定する。演算回路１０１は、シーケンススイッチＳＷ５からオン信号が入力されるとステップＳ１１６を肯定判定してステップＳ１１７へ進み、シーケンススイッチＳＷ５からオン信号が入力されない場合にはステップＳ１１６を否定判定する。否定判定する場合には、ミラーアップを継続するように判定処理を繰り返す。
【００７３】
ステップＳ１１７において、演算回路１０１はモータ制御回路１０９へ指示を出力し、シーケンスモータ１１０を停止させてステップＳ１１８へ進む。なお、ミラーアップの終了より先に絞り係止装置１０８によって絞りの係止が終了するように不図示のシーケンス駆動装置が構成されている。ステップＳ１１８において、演算回路１０１は、所定時間（少なくともミラーアップ時のバウンドが安定するまで）のウェイトを実施してステップＳ１１９へ進む。
【００７４】
ステップＳ１１９において、演算回路１０１は、タイミング回路１２４に駆動信号の発生を開始させて撮像素子１２１の駆動を開始し、ステップＳ１２０へ進む。これにより、撮像素子１２１が電荷蓄積を開始する。
【００７５】
ステップＳ１２０において、演算回路１０１はシャッタ制御回路１０５へ指示を出力し、シャッタ１０６の不図示のマグネットへの通電を解除して先幕保持を解除させ、ステップＳ１２１へ進む。これによってシャッタ先幕の走行が開始され、撮像素子１２１の撮像面に到達した被写体光の強さに応じて撮像素子１２１が電荷を蓄積する。ステップＳ１２１において、演算回路１０１は、制御シャッタ速度ＴＶに相当する時間（＝２−ＴＶ）ウェイトを実施してステップＳ１２２へ進む。
【００７６】
ステップＳ１２２において、演算回路１０１はシャッタ制御回路１０５へ指示を出力し、シャッタ１０６の不図示のマグネットへの通電を解除して後幕保持を解除させ、ステップＳ１２３へ進む。これによってシャッタ後幕の走行が開始され、撮像素子１２１への被写体光が遮断される。
【００７７】
ステップＳ１２３において、演算回路１０１は、シャッタ後幕走行完了ウエイトを実施してステップＳ１２４へ進む。ウェイト時間は、後幕が撮像素子１２１の撮像領域を完全に遮光し、走行完了するまでに要する時間である。ステップＳ１２４において、演算回路１０１は、撮像素子１２１の電荷蓄積を終了させてステップＳ１２５へ進む。ステップＳ１２５において、演算回路１０１はモータ制御回路１０９へ指示を出力し、シーケンスモータ１１０に逆転を開始させて図９のステップＳ１３１へ進む。これにより、不図示のミラーのミラーダウンおよび絞りの開放復帰が開始される。
【００７８】
図９のステップＳ１３１において、演算回路１０１はタイミング回路１２４へ指示を出力し、撮像素子１２１から蓄積電荷の読み出しを行わせてステップＳ１３２へ進む。ステップＳ１３２において、演算回路１０１は多重コマ数Ｎ＝１か否かを判定する。演算回路１０１は、Ｎ＝１の場合にステップＳ１３２を肯定判定してステップＳ１３９へ進み、Ｎ≠１の場合にはステップＳ１３２を否定判定してステップＳ１３３へ進む。
【００７９】
ステップＳ１３３において、演算回路１０１はステップＳ１３１にて読み出した画像データをバッファメモリ１２５へ格納してステップＳ１３４へ進む。ステップＳ１３４において、演算回路１０１は多重コマ数Ｎから１を減算してステップＳ１３５へ進む。ステップＳ１３５において、演算回路１０１は多重撮影フラグＭＥ＝１か否かを判定する。演算回路１０１は、ＭＥ＝１の場合にステップＳ１３５を肯定判定してステップＳ１３７へ進み、ＭＥ≠１の場合にはステップＳ１３５を否定判定し、ステップＳ１３６へ進む。演算回路１０１は、ステップＳ１３７へ進む場合に多重撮影の２コマ目以降と判断し、ステップＳ１３６へ進む場合には多重撮影の１コマ目と判断する。
【００８０】
ステップＳ１３６において、演算回路１０１は多重撮影フラグＭＥを１にセットしてステップＳ１３７へ進む。ステップＳ１３７において、演算回路１０１はミラーダウンが完了したか否かを判定する。演算回路１０１は、シーケンススイッチＳＷ５からオン信号が入力されるとステップＳ１３７を肯定判定してステップＳ１３８へ進み、シーケンススイッチＳＷ５からオン信号が入力されない場合はステップＳ１３７を否定判定し、ミラーダウンを継続するように判定処理を繰り返す。
【００８１】
ステップＳ１３８において、演算回路１０１はモータ制御回路１０９へ指示を出力し、シーケンスモータ１１０を停止させて図９による撮像処理を終了し、図２のステップＳ２へ戻る。これにより、一連の撮影処理が終了する。
【００８２】
ステップＳ１３２を肯定判定して進むステップＳ１３９において、演算回路１０１は多重撮影フラグＭＥ＝１か否かを判定する。演算回路１０１は、ＭＥ＝１の場合にステップＳ１３９を肯定判定してステップＳ１４０へ進み、ＭＥ≠１の場合にはステップＳ１３９を否定判定し、ステップＳ１４３へ進む。演算回路１０１は、ステップＳ１４０へ進む場合に多重撮影の最終コマと判断し、ステップＳ１４３へ進む場合には多重撮影でないと判断する。
【００８３】
ステップＳ１４０において、演算回路１０１はステップＳ１３１にて読み出した画像データをバッファメモリ１２５へ格納してステップＳ１４１へ進む。ステップＳ１４１において、演算回路１０１は、バッファメモリ１２５内に格納されている多重撮影（多重露光）による画像データを合成し、合成後の画像を再度バッファメモリ１２５に格納してステップＳ１４２へ進む。
【００８４】
ステップＳ１４２において、演算回路１０１は多重撮影フラグＭＥを０にセットしてステップＳ１４３へ進む。ステップＳ１４３において、演算回路１０１はＡＳＩＣ１２３に指示を送り、バッファメモリ１２５内の画像データにホワイトバランス、コントラスト、シャープネス、彩度および色合い調整などのディジタル画像処理を行わせ、ステップＳ１４４へ進む。ステップＳ１４４において、演算回路１０１はＡＳＩＣ１２３に画像圧縮処理を行わせ、ステップＳ１４５へ進む。ステップＳ１４５において、演算回路１０１は、画像圧縮後にバッファメモリ１２５に格納されている画像データを記録媒体１２６に記録してステップＳ１３７へ進む。
【００８５】
以上説明した実施形態によれば、次の作用効果が得られる。
（１）撮影モードとして「自動モード」が選択された（ステップＳ１１を肯定判定）後は、「多重撮影モード」の設定ができないようにした（多重撮影設定ボタンに関する処理へ進まない）。これにより、「自動モード」選択と「多重撮影モード」の設定との組み合わせが禁止され、簡単な撮影を望むユーザーにとって使い勝手が向上する。
【００８６】
上記使い勝手の向上について説明する。「自動モード」では、電子カメラがディジタル画像処理に関する設定を自動的に行うが、その設定内容はコマごとに異なる場合がある。一方、「多重撮影モード」よる多重露光で得られる複数コマの画像は、合成処理によって一画像に合成してからディジタル画像処理を施す。この場合、合成処理前の各画像に対する画像処理に関する設定が異なると、合成処理後の画像に対する画像処理に関する設定をどうするかが複雑になる。そこで、「自動モード」を選択するユーザーがこのような画像処理に関する設定を気にしなくて済むように、上記モードの組み合わせを禁止した。
【００８７】
（２）多重撮影開始後の場合（ステップＳ１３を肯定判定）、すなわち、撮影モードとして「自動モード」を選択する前から「多重撮影モード」が設定されていた場合は、「自動モード」の選択（ステップＳ２１）とともに「多重撮影モード」を解除する（ステップＳ２０）ようにした。これにより、「自動モード」の選択と「多重撮影モード」の設定との組み合わせが禁止され、上記（１）と同様に、簡単な撮影を望むユーザーにとって使い勝手が向上する。
【００８８】
（３）上記（２）において「多重撮影モード」の解除前に多重撮影が開始されている場合（ステップＳ１３を肯定判定）は、バッファメモリ１２５内に蓄積済みの多重露光した各コマの画像を合成し、合成画像にディジタル画像処理し、ディジタル画像処理後の画像を記録媒体１２６へ保存してから「多重撮影モード」を解除（ステップＳ２１）したので、バッファメモリ１２５内に蓄積した画像を無駄にしない。
【００８９】
（４）多重撮影を開始後（ステップＳ５０を肯定判定）に「多重撮影モード」が解除された場合（ステップＳ５１を肯定判定）、バッファメモリ１２５内に蓄積済みの多重露光したコマの画像を合成し、合成画像にディジタル画像処理し、ディジタル画像処理後の画像を記録媒体１２６へ保存したので、バッファメモリ１２５内に蓄積した画像を無駄にしない。
【００９０】
（変形例１）
図１０は、変形例１による電子カメラの構成を説明するブロック図である。図１と比べて、撮影モード設定装置１０４の代わりに撮影モードスイッチＳＷ１１が設けられる点が異なる。撮影モードスイッチＳＷ１１は、撮影モードボタン（不図示）の押し下げ操作に連動してオンし、押し下げ操作の解除に連動してオフする。撮影モードスイッチＳＷ１１からの操作信号は演算回路１０１へ入力され、演算回路１０１は、当該操作信号が入力されている場合にコマンドダイヤル（不図示）からの操作信号を撮影モードの選択操作信号として扱う。
【００９１】
＜設定処理１＞
変形例１では、図３〜図５のフローチャートによる設定処理に代えて、図１１〜図１３のフローチャートによる設定処理１が用いられる。図１１のステップＳ２０１において、演算回路１０１は多重撮影フラグＭＥ＝１か否かを判定する。演算回路１０１は、ＭＥ＝１（多重撮影開始後）の場合にステップＳ２０１を肯定判定して図１２のステップＳ２１１へ進み、ＭＥ≠１（多重撮影を開始していない）の場合にはステップＳ２０１を否定判定し、ステップＳ２０２へ進む。ステップＳ２０２へ進む場合は、「自動モード」を選択する際に「多重撮影モード」が設定されていない場合、または「多重撮影モード」であっても多重撮影が開始されていない場合である。
【００９２】
ステップＳ２０２において、演算回路１０１は多重コマ数Ｎが１より大か否かを判定する。演算回路１０１は、Ｎ＞１が成立する場合にステップＳ２０２を肯定判定してステップＳ２０２Ａへ進み、Ｎ＞１が成立しない場合にはステップＳ２０２を否定判定し、図１２のステップＳ２１１へ進む。演算回路１０１は、ステップＳ２０２Ａへ進む場合に「多重撮影モード」が設定されていると判断し、ステップＳ２１１へ進む場合には「多重撮影モード」が解除されていると判断する。
【００９３】
ステップＳ２０２Ａにおいて、演算回路１０１は撮影モードボタンが押下されているか否かを判定する。演算回路１０１は、撮影モードスイッチＳＷ１１からオン信号が入力された場合にステップＳ２０２Ａを肯定判定してステップＳ２０３へ進み、撮影モードスイッチＳＷ１１からオン信号が入力されない場合にはステップＳ２０２Ａを否定判定し、図１２のステップＳ２１１へ進む。
【００９４】
ステップＳ２０３において、演算回路１０１は表示装置１０３へ指示を送り、撮影モードを示す表示を行わせてステップＳ２０４へ進む。ステップＳ２０４において、演算回路１０１はコマンドダイヤルが回転操作されたか否かを判定する。演算回路１０１は、コマンドダイヤルスイッチＳＷ２およびＳＷ３から操作信号が入力された場合にステップＳ２０４を肯定判定してステップＳ２０５へ進み、操作信号が入力されない場合にはステップＳ２０４を否定判定し、ステップＳ２０８へ進む。
【００９５】
ステップＳ２０５において、演算回路１０１は撮影モードフラグＭ＝０か否かを判定する。演算回路１０１は、Ｍ＝０（自動モード）の場合にステップＳ２０５を肯定判定してステップＳ２０６へ進み、Ｍ≠０（本例ではＡモード）の場合にステップＳ２０５を否定判定してステップＳ２０７へ進む。
【００９６】
ステップＳ２０６において、演算回路１０１は、撮影モードフラグＭを１にセットしてステップＳ２０８へ進む。これにより、「Ａモード」が選択される。ステップＳ２０７において、演算回路１０１は、撮影モードフラグＭを０にセットしてステップＳ２０８へ進む。これにより、「自動モード」が選択される。
【００９７】
ステップＳ２０８において、演算回路１０１は撮影モードボタンが押下されているか否かを判定する。演算回路１０１は、撮影モードスイッチＳＷ１１から継続してオン信号が入力されている場合にステップＳ２０８を肯定判定してステップＳ２０３へ戻り、撮影モードスイッチＳＷ１１からオン信号が入力されなていない場合にはステップＳ２０８を否定判定し、図１１による設定処理１を終了して図２のステップＳ３へ進む。
【００９８】
図１２のステップＳ２１１において、演算回路１０１は撮影モードフラグＭ＝０か否かを判定する。演算回路１０１は、Ｍ＝０（自動モード）の場合にステップＳ２１１を肯定判定して図１２による設定処理１を終了し、図２のステップＳ３へ進む。演算回路１０１は、Ｍ≠０（本例ではＡモード）の場合にステップＳ２１１を否定判定してステップＳ２１２へ進む。
【００９９】
ステップＳ２１２において、演算回路１０１は多重撮影設定ボタンが押下されているか否かを判定する。演算回路１０１は、多重撮影設定スイッチＳＷ１からオン信号が入力されている場合にステップＳ２１２を肯定判定してステップＳ２１３へ進み、多重撮影設定スイッチＳＷ１からオン信号が入力されていない場合にはステップＳ２１２を否定判定し、図１３のステップＳ２３７へ進む。
【０１００】
ステップＳ２１３〜ステップＳ２３６の処理は、それぞれ図４におけるステップＳ３４〜ステップＳ５７の処理と同様なので説明を省略する。なお、接続子「６」は、図１２による設定処理１を終了して図２のステップＳ３へ進むことを表す。
【０１０１】
図１３のステップＳ２３７〜ステップＳ２４５の処理は、それぞれ図５におけるステップＳ６１〜ステップＳ６９の処理と同様なので説明を省略する。なお、接続子「６」は、図１３による設定処理１を終了して図２のステップＳ３へ進むことを表す。
【０１０２】
以上説明した変形例１によれば、以下の作用効果が得られる。
（１）撮影モードとして「自動モード」が選択されている（ステップＳ２１１を肯定判定）場合は、「多重撮影モード」の設定ができないようにした（多重撮影設定ボタンに関する処理へ進まない）。これにより、「自動モード」選択と「多重撮影モード」の設定との組み合わせが禁止され、上述した実施形態と同様に、簡単な撮影を望むユーザーにとって使い勝手が向上する。
【０１０３】
（２）多重撮影開始後（ステップＳ２０１を肯定判定）は、撮影モードの選択変更ができないようにした（撮影モードボタンに関する処理へ進まない）。これにより、「自動モード」選択と「多重撮影モード」の設定とを組み合わせるおそれがなくなり、上記（１）と同様に、簡単な撮影を望むユーザーにとって使い勝手が向上する。さらに、撮影モードの選択変更にともなって「多重撮影モード」が解除されることもないから、多重撮影を重んじるユーザーにとって都合がよい。
【０１０４】
（３）多重撮影が開始後（ステップＳ２２９を肯定判定）に「多重撮影モード」が解除された場合（ステップＳ２３０を肯定判定）、バッファメモリ１２５内に蓄積済みの多重露光したコマの画像を合成し、合成画像にディジタル画像処理し、ディジタル画像処理後の画像を記録媒体１２６へ保存したので、バッファメモリ１２５内に蓄積した画像を無駄にしない。
【０１０５】
（変形例２）
上述した説明では、「自動モード」選択と「多重撮影モード」の設定との組み合わせを禁止した。この代わりに、「多重撮影モード」よる多重露光で得られる複数コマの画像から合成した画像に対するディジタル画像処理に関し、あらかじめ設定内容を定めておく場合（たとえば、多重撮影コマの先頭画像に対する設定内容で合成後の画像に対するディジタル画像処理を行う）は、「自動モード」選択と「多重撮影モード」の設定との組み合わせを許可してもよい。
【０１０６】
ただし、上記変形例２の場合にも、「自動モード」および「Ａモード」間で撮影モードを選択変更する前から「多重撮影モード」が設定されていた場合は、当該撮影モードの選択変更とともに「多重撮影モード」を解除するのが好ましい。これにより、「多重撮影モード」の解除忘れが防止され、簡単な撮影を望むユーザーにとって使い勝手がよい。
【０１０７】
なお、上記変形例２における「多重撮影モード」の解除前に多重撮影が開始されている場合は、バッファメモリ１２５内に蓄積済みの多重露光した各コマの画像を合成し、合成画像にディジタル画像処理し、ディジタル画像処理後の画像を記録媒体１２６へ保存してから「多重撮影モード」を解除すると、バッファメモリ１２５内に蓄積した画像を無駄にすることがなく、簡単な撮影を望むユーザーにとって使い勝手がよい。
【０１０８】
（変形例３）
「自動モード」と異なる撮影モードの例として「Ａモード」を示したが、上記「Ａモード」の他に、「Ｐモード」や「Ｓモード」でもよい。「Ｐモード」は電子カメラが輝度に応じて露出に関する設定を自動的に行う撮影モード（プログラム自動露出モード）であり、「Ｓモード」は、電子カメラが設定されているシャッタ速度を用いて露出に関する設定を自動的に行う撮影モード（シャッタ速度優先自動露出モード）である。
【０１０９】
さらに、これらの「Ａモード」、「Ｐモード」、「Ｓモード」が複数あってもよい。さらにまた、「自動モード」は、「ポートレートモード」、「風景モード」、「クローズアップモード」、「スポーツモード」、「夜景モード」、「夜景ポートレートモード」でもよく、これらのモードが複数あってもよい。
【０１１０】
以上の説明はあくまで一例であり、上記の実施形態の構成に何ら限定されるものではない。
【図面の簡単な説明】
【０１１１】
【図１】本発明の一実施の形態による電子カメラの構成を説明するブロック図である。
【図２】演算回路で行われるカメラ動作の処理を説明するフローチャートである。
【図３】設定処理の詳細について説明するフローチャートである。
【図４】設定処理の詳細について説明するフローチャートである。
【図５】設定処理の詳細について説明するフローチャートである。
【図６】露出演算処理の詳細について説明するフローチャートである。
【図７】表示処理の詳細について説明するフローチャートである。
【図８】撮像処理の詳細について説明するフローチャートである。
【図９】撮像処理の詳細について説明するフローチャートである。
【図１０】変形例１による電子カメラの構成を説明するブロック図である。
【図１１】設定処理１の詳細について説明するフローチャートである。
【図１２】設定処理１の詳細について説明するフローチャートである。
【図１３】設定処理１の詳細について説明するフローチャートである。
【符号の説明】
【０１１２】
１０１…演算回路
１０２…測光装置
１０３…表示装置
１０４…撮影モード設定装置
１２１…撮像素子
１２５…バッファメモリ
ＳＷ１…多重撮影設定スイッチ（多重撮影設定ボタン）
ＳＷ２、ＳＷ３…コマンドダイヤルスイッチ（コマンドダイヤル）
ＳＷ４…レリーズスイッチ（レリーズボタン）
ＳＷ５…シーケンススイッチ
ＳＷ１１…撮影モードスイッチ（撮影モードボタン）
【図１】
0004687560.tif 000002
【図２】
0004687560.tif 000003
【図３】
0004687560.tif 000004
【図４】
0004687560.tif 000005
【図５】
0004687560.tif 000006
【図６】
0004687560.tif 000007
【図７】
0004687560.tif 000008
【図８】
0004687560.tif 000009
【図９】
0004687560.tif 000010
【図１０】
0004687560.tif 000011
【図１１】
0004687560.tif 000012
【図１２】
0004687560.tif 000013
【図１３】
0004687560.tif 000014